(57)【要約】【課題】  スライドさせながら着脱するエアフィルタの長さ寸法にバラツキや相違があっても、簡便な構成により容易に位置決めして正確に保持できるようにし、スムーズな抜き差しができるようにして、取り外し時には捕捉したゴミの離脱や落下が生じないようにした空気調和機を提供する。【課題を解決するための手段】  挿脱口を備えた吸込グリルの背面側にエアフィルタを挿脱可能に装着してなる空気調和機において、前記吸込グリルの挿脱口近傍と、これに対応する前記エアフィルタとに、同エアフィルタの装着位置を決める位置決め部と、装着位置で保持する保持部とを設けてなる構成にした。【選択図】  図３
2009103399.tif 000002
【特許請求の範囲】
【請求項１】
挿脱口を備えた吸込グリルの背面側にエアフィルタを挿脱可能に装着してなる空気調和機において、
前記吸込グリルの挿脱口近傍と、これに対応する前記エアフィルタとに、同エアフィルタの装着位置を決める位置決め部と、装着位置で保持する保持部とを設けてなることを特徴とする空気調和機。
【請求項２】
前記位置決め部および前記保持部が、前記吸込グリルおよび前記エアフィルタの左右に設けられてなることを特徴とする請求項１に記載の空気調和機。
【発明の詳細な説明】
【技術分野】
【０００１】
本発明は、空気調和機に係わり、より詳細には、スライドさせながら着脱するエアフィルタの長さ寸法にバラツキや相違があっても、簡便な構成により容易に位置決めして正確に保持できるようにした構造に関する。
【背景技術】
【０００２】
従来の空気調和機は、吸込グリルＡの背面側にエアフィルタＢをスライドさせながら着脱するものとして、図４（Ａ）および図４（Ｂ）に示すように構成されたものがあった。
【０００３】
前記エアフィルタＢは、前記吸込グリルＡの背面側に設けられ、前記エアフィルタＢを挿脱する挿脱口Ｃを備えて同エアフィルタＢの両側部をガイドして保持するフィルタガイドＤと、同フィルタガイドＤに連続するように設けられて前記エアフィルタＢの先端部を突き当て位置決めする位置決め部Ｅとを有してなるフィルタ装着部に着脱可能に装着されるように構成されている。
【０００４】
前記エアフィルタＢの装着時には、同エアフィルタＢの先端部を前記挿脱口Ｃから挿入したのち、同エアフィルタＢの両側部を前記フィルタガイドＤによってガイドし、且つ保持しながら前記位置決め部Ｅに向けてスライドさせ、同位置決め部Ｅに突き当てることによって位置決めされる。
【０００５】
前記エアフィルタＢは、その先端部を前記位置決め部Ｅに突き当てることで位置決めされたのち、後端部に設けられた固定部Ｆによって抜け出てしまわないように固定されることになる。
【０００６】
その際、前記エアフィルタＢおよび前記フィルタ装着部の寸法形状にバラツキや撓みが生じたり、前記位置決め部Ｅと前記固定部Ｆとの距離が遠くなってしまうことから、前記エアフィルタＢが正確に位置決め固定されにくくなり、また、同エアフィルタＢのスムーズな抜き差しができにくくなって、取り外し時には捕捉したゴミが離脱し落下してしまうおそれがあった。
【０００７】
そのため、前記エアフィルタＢは、図５（Ａ）および図５（Ｂ）に示すように、その先端部を後端部に向けて押し付ける金属製のばね部材Ｇを設けることでガタ（遊び）を吸収して押圧保持されるようにし、同エアフィルタＢの着脱を容易に行えるようにした構成でなるものがあった（例えば、特開平０９ー２１７９５７号公報参照）。
【０００８】
しかしながら、前記エアフィルタＢを押し付けるための金属製のばね部材Ｇを設ける必要があることから、構成部材が増加してコスト的に不利になってしまったり、前記エアフィルタＢをスライドさせる時の負荷（抵抗）が増加してスムーズな抜き差しができにくくなり、取り外し時には捕捉したゴミが離脱し落下してしまうおそれがあった。
【特許文献１】特開平０９ー２１７９５７号公報
【発明の開示】
【発明が解決しようとする課題】
【０００９】
そこで、本発明は上述した課題を解決するためになされたものであって、その目的は、スライドさせながら着脱するエアフィルタの長さ寸法にバラツキや相違があっても、簡便な構成により容易に位置決めして正確に保持できるようにし、スムーズな抜き差しができるようにして、取り外し時には捕捉したゴミの離脱や落下が生じないようにすることにある。
【課題を解決するための手段】
【００１０】
上述した目的を達成できるように、エアフィルタのスムーズな抜き差しができるようにして、取り外し時には捕捉したゴミの離脱や落下が生じないようにするため、本発明は以下に示す特徴を備えている。
【００１１】
挿脱口を備えた吸込グリルの背面側にエアフィルタを挿脱可能に装着してなる空気調和機において、
前記吸込グリルの挿脱口近傍と、これに対応する前記エアフィルタとに、同エアフィルタの装着位置を決める位置決め部と、装着位置で保持する保持部とを設けてなることを特徴としている。
【００１２】
また、前記位置決め部および前記保持部が、前記吸込グリルおよび前記エアフィルタの左右に設けられてなることを特徴としている。
【発明の効果】
【００１３】
本発明によれば、スライドさせながら着脱するエアフィルタの長さ寸法にバラツキや相違があっても、簡便な構成により容易に位置決めして正確に保持できるようにし、スムーズな抜き差しができるようにして、取り外し時には捕捉したゴミの離脱や落下が生じないようにした空気調和機となる。
【発明を実施するための最良の形態】
【００１４】
次に、本発明の実施形態について図面を参照しながら説明する。
【００１５】
図１は本発明による空気調和機の説明図で、（Ａ）は断面図、（Ｂ）は吸込グリルを備えた化粧パネルの斜視図であり、図２はフィルタを装着した吸込グリルの説明図で、（Ａ）は吸込グリルを裏面側からみた矢視図、（Ｂ）は図２（Ａ）に示すＡ−Ａ断面図、（Ｃ）は図２（Ａ）に示すＢ−Ｂ断面図であり、図３はフィルタを装着した吸込グリルの要部説明図で、（Ａ）は吸込グリルを裏面側からみた要部矢視図、（Ｂ）は図３（Ａ）に示すＡ−Ａ断面図、（Ｃ）は図３（Ａ）に示すＢ−Ｂ断面図である。
【００１６】
本発明による天井埋込形の空気調和機は、図１（Ａ）および図１（Ｂ）に示すように、天井裏に吊下げ設置された本体筐体１の下部に化粧パネル２が装着されている。
【００１７】
前記化粧パネル２は、吸込口３と吹出口４とを備えるとともに、前記吸込口３を臨ませた吸込グリル５を備え、同吸込グリル５の背面側には、前記吸込口３から吸い込まれた空気中に含まれた塵埃を除去するエアフィルタ６が着脱可能に装着されている。
【００１８】
前記吸込グリル５は一側が枢支部５ａにより前記化粧パネル２に回動自在に枢支される一方、他側が係止部５ｂにより前記化粧パネル２に係脱可能に係止されており、前記エアフィルタ６を着脱する際、前記係止部５ｂを前記化粧パネル２から離脱させ前記枢支部５ａを中心に下方に回動させて着脱することができる。
【００１９】
前記吸込口３と前記吹出口４とを結ぶ空気通路には、熱交換器７と送風ファン８とが設けられ、前記吸込口３から吸い込まれ前記エアフィルタ６によって塵埃が除去された空気が前記熱交換器７で熱交換されたのち、前記送風ファン８によって前記吹出口４から被空調室に吹き出されるようになっている。
【００２０】
前記エアフィルタ６は、前記吸込グリル５の背面側に一体的に形成され、同エアフィルタ６をその先端部から挿脱する挿脱口１０を備えたフィルタホルダ９によってスライド可能に、且つ着脱可能に保持されている。
【００２１】
前記挿脱口１０を備えた前記フィルタホルダ９は、前記エアフィルタ６の左右両側部をスライド可能に保持する平行なレール部１１と、同レール部１１に連続形成され、左右両側部をスライドさせながら装着した前記エアフィルタ６の先端部を近接させる近接部１２とでコ字形状に形成されている。
【００２２】
前記フィルタホルダ９の挿脱口１０の近傍であって前記吸込グリル５の左右両側部には、前記エアフィルタ６の装着位置を決めるための段部１３が形成されており、同段部１３に対応して前記エアフィルタ６の左右両側部には段形状でなる当接部１４が設けられており、これら左右の段部１３と当接部１４とで、前記エアフィルタ６を位置決めする位置決め部が構成されている。
【００２３】
これにより、前記エアフィルタ６の先端部を前記フィルタホルダ９の挿脱口１０から挿入して、前記レール部１１によって左右両側部をスライド可能に保持しながら、前記左右の当接部１４を前記左右の段部１３に当接することによって前記エアフィルタ６の装着位置を決めることができることになる。
【００２４】
また、前記フィルタホルダ９の挿脱口１０の近傍であって前記吸込グリル５の背面側左右には、前記エアフィルタ６を装着位置で保持する係止穴１５が形成されており、同係止穴１５に対応して前記エアフィルタ６の左右には係止爪１６が形成されており、これら左右の係止穴１５と左右の係止爪１６とで、前記エアフィルタ６を装着位置で保持する保持部が構成されている。
【００２５】
これにより、前記エアフィルタ６を前記位置決め部で位置決めした際、前記左右の係止穴１５に前記左右の係止爪１６を係止することによって前記エアフィルタ６を保持できることになる。
【００２６】
前記エアフィルタ６が前記位置決め部によって位置決めされ、且つ前記保持部によって保持された際、例えば、同エアフィルタ６の長さ寸法にバラツキや相違があったとしても、同エアフィルタ６の先端部と前記近接部１２とは所定の隙間をもたせた状態で近接させるようにしている。
【００２７】
そして、前記左右の段部１３および前記左右の当接部１４からなる位置決め部と、前記左右の係止穴１５および前記左右の係止爪１６からなる保持部とは、何れも前記フィルタホルダ９の挿脱口１０の近傍であって、前記エアフィルタ６のスライド（長さ）方向の互いに近い位置に設けられていることから、相対的な位置の精度に誤差が生じにくい構成になっている。
【００２８】
すなわち、例えば前記エアフィルタ６を樹脂成形した際、同エアフィルタ６の長さ寸法にバラツキが生じやすくなったとしても、または、同エアフィルタ６の長さ寸法が少許相違している別サイズのものであったり、前記エアフィルタ６の長さ方向に撓みが生じたとしても、同エアフィルタ６に備えた前記左右の当接部１４と前記左右の係止爪１６とは互いに長さ方向の近傍に設けられているので、この長さ方向における位置の精度を確保して正確に装着できるようになる。
【００２９】
同様に、例えば前記フィルタホルダ９を備えた前記吸込グリル５を樹脂成形した際、前記エアフィルタ６の長さ寸法に対応する前記フィルタホルダ９の奥行き寸法にバラツキが生じやすくなったとしても、同吸込グリル５に備えた前記左右の段部１３と前記左右の係止穴１５とは互いに前記フィルタホルダ９の奥行き方向の近傍に設けられているので、この奥行き方向における位置の精度を確保しやすくなる。
【００３０】
そのため、例えば上述した背景技術のように、前記エアフィルタ６の先端部を当てる当て部で前後位置を位置決めして、同エアフィルタ６の基端部に設けられた保持部によって保持する場合に較べて、同エアフィルタ６の長さ寸法にバラツキや相違があったり、または装着時に撓みがあったとしても、その影響を受けることなく、同エアフィルタ６を容易に位置決めして正確に保持できるようになる。
【００３１】
これにより、前記係止穴１５に対する前記係止爪１６の位置精度も良好になって、同係止穴１５に対する前記係止爪１６の係脱も無理のない力で行えることから、前記エアフィルタ６のスムーズな抜き差しができるようになって、取り外し時には捕捉したゴミが離脱し落下してしまうおそれがなくなる。
【００３２】
以上説明したように、本構成によれば、前記位置決め部と前記保持部とは前記挿脱口１０からの距離が遠くならないように構成したので、前記エアフィルタ６を容易に位置決めし、且つ正確に保持できるようになり、上述した背景技術のように構成部材を増加させることなくコストを抑えることができて、前記エアフィルタ６をスライドさせる時の負荷（抵抗）を増加させることなくスムーズな抜き差しができるようにした空気調和機となる。
【図面の簡単な説明】
【００３３】
【図１】本発明による空気調和機の説明図で、（Ａ）は断面図であり、（Ｂ）は吸込グリルを備えた化粧パネルの斜視図である。
【図２】フィルタを装着した吸込グリルの説明図で、（Ａ）は吸込グリルを裏面側からみた矢視図であり、（Ｂ）は図２（Ａ）に示すＡ−Ａ断面図であり、（Ｃ）は図２（Ａ）に示すＢ−Ｂ断面図である。
【図３】フィルタを装着した吸込グリルの要部説明図で、（Ａ）は吸込グリルを裏面側からみた要部矢視図であり、（Ｂ）は図３（Ａ）に示すＡ−Ａ断面図であり、（Ｃ）は図３（Ａ）に示すＢ−Ｂ断面図である。
【図４】従来例による空気調和機の一例を示す要部説明図で、（Ａ）は平面図であり、（Ｂ）は図４（Ａ）に示すＡ−Ａ断面図である。ある。
【図５】従来例による空気調和機の他の例を示す要部説明図で、（Ａ）は平面図であり、（Ｂ）は図５（Ａ）に示すＸ−Ｘ断面図である。
【符号の説明】
【００３４】
１  本体筐体
２  化粧パネル
３  吸込口
４  吹出口
５  吸込グリル
５ａ  枢支部
５ｂ  係止部
６  エアフィルタ
７  熱交換器
８  送風ファン
９  フィルタホルダ
１０  挿脱口
１１  レール部
１２  近接部
１３  段部
１４  当接部
１５  保持部
１６  保持爪
【図１】
2009103399.tif 000003
【図２】
2009103399.tif 000004
【図３】
2009103399.tif 000005
【図４】
2009103399.tif 000006
【図５】
2009103399.tif 000007